(57)【特許請求の範囲】
【請求項１】
内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び第２ラックを備えた主作動板と；外フレームに上下動可能に設けられると共に第３ラックを備え、前記の主作動板が選択的に係合し押動する副作動板と；副作動板を原位置に戻る方向に付勢させる復帰ばねと；外フレームに支承されると共にシリンダ錠の内筒に結合され、かつ、主作動板の第１ラックに噛み合う第１ピニオンと；外フレームに支承され、主作動板の第２ラックに選択的に噛み合う第２ピニオンと；外フレームに支承され、副作動板の第３ラックに選択的に噛み合う第３ピニオンと；第２ピニオンに一体的に設けられ、その第２ピニオンの回動に伴って上記駆動板の係合片に当接して解錠位置のカマを施錠位置に振り出させる施錠アームと；第３ピニオンに一体的に設けられ、その第３ピニオンの回動に伴って上記駆動板の係合片に当接して施錠位置のカマを解錠位置に振り戻させる解錠アームと；施錠アーム及び解錠アームを外フレーム内に収納させる方向に付勢させる戻しばねとから成る引戸錠。
【発明の詳細な説明】
【０００１】
【発明の属する技術分野】
この発明は、２つの引戸をその召し合せ部分で施錠するための引戸錠に関する。
【０００２】
【従来の技術】
特公平６−２５５０４号公報に示された引戸錠は、同公報に記載された通り、カマを内框側（室内側の引戸における框）に設けた引戸錠において、２つの引戸間の上下方向のずれ並びに厚さ方向の間隙の静的又は動的な変動に対応できるようにすると共に、確実な施解錠作動が達成できるようにしたものとして提案されている。
【０００３】
しかしながら、その従来の引戸錠には、構造上厚さの薄い引戸に対しては、採用しにくいという問題が残されている。その理由は、例えば、一つには、一対のアームを枢支した外框内のホルダが前後（引戸の厚さ方向）に移動可能にしてあるためである。
【０００４】
また、他の一つには、外框に取り付けられているシリンダ錠はその内筒が前後に摺動される形式であるためで、外框側の錠機構の厚さはかなり厚くなってしまうことになる。
【０００５】
そこで、本願人は先に厚さの薄い引戸に対しても適用できるようにした引戸錠を開発し、特願平７−３２９９１４号として出願した。
【０００６】
その先願の発明に係る引戸錠は、内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び一対の第２ラックを備えた作動板と；外フレームに支承されると共にシリンダ錠の内筒に結合され、かつ、作動板の第１ラックに噛み合う第１ピニオンと；外フレームに支承され、作動板の一対の第２ラックにそれぞれ選択的に噛み合う一対の第２ピニオンと；一方の第２ピニオンに一体的に設けられ、その一方の第２ピニオンの回動に伴って上記駆動板の係合片に当接して解錠位置のカマを施錠位置に振り出させる施錠アームと；他方の第２ピニオンに一体的に設けられ、その他方の第２ピニオンの回動に伴って上記駆動板を係合片に当接して施錠位置のカマを解錠位置に振り戻させる解錠アームと；施錠アーム及び解錠アームを外フレーム内に収納させる方向に付勢させる戻しばねとから成るものである。
【０００７】
ところが、前記の作動板は、例えば１枚の板材をＬ字状に折り曲げて作ってあり、一片に第１ラックを、他片に上下方向について連続する一対の第２ラックを備えているので、その上下動のストロークにおいて第２ラックがシリンダ錠にぶつからないようにするために、中間部分に、すなわち、第１ラックと第２ラックとの間に逃げのためのある長さを要することになる。
【０００８】
作動板の長さが大きくなると、外框側における錠機構の長さも大きくなり、全体を可及的コンパクトに製作するという要望に沿わなくなる。また、本来は同じ大きさに形成されるべき内框及び外框の取付用の切欠きが後者について大きくしなければならないなどの問題点も残されている。
【０００９】
【発明が解決しようとする課題】
この発明の引戸錠は、厚さの薄い引戸に対しても適用できるように改良するとともに、外框側の錠機構の長さを可及的短くすることを目的として提案されたものである。
【００１０】
【課題を解決するための手段】
上記の目的を達成するため、この発明の引戸錠は、内框に取り付けられる内フレームに枢支され、外框のストライク板に係脱されるカマと；内フレームに上下動可能に設けられると共にカマに連係され、室内側から操作部材で操作される駆動板と；外框に取り付けられる外フレームに向けて駆動板に突設された係合片と；外フレームに装着されたシリンダ錠と；外フレームに上下動可能に設けられると共に第１ラック及び第２ラックを備えた主作動板と；外フレームに上下動可能に設けられると共に第３ラックを備え、前記の主作動板が選択的に係合し押動する副作動板と；副作動板を原位置に戻る方向に付勢させる復帰ばねと；外フレームに支承されると共にシリンダ錠の内筒に結合され、かつ、主作動板の第１ラックに噛み合う第１ピニオンと；外フレームに支承され、主作動板の第２ラックに選択的に噛み合う第２ピニオンと；外フレームに支承され、副作動板の第３ラックに選択的に噛み合う第３ピニオンと；第２ピニオンに一体的に設けられ、その第２ピニオンの回動に伴って上記駆動板の係合片に当接して解錠位置のカマを施錠位置に振り出させる施錠アームと；第３ピニオンに一体的に設けられ、その第３ピニオンの回動に伴って上記駆動板の係合片に当接して施錠位置のカマを解錠位置に振り戻させる解錠アームと；施錠アーム及び解錠アームを外フレーム内に収納させる方向に付勢させる戻しばねとから成る。
【００１１】
【発明の実施の形態】
以下、図面に示す実施例に基づいてこの発明について説明する。
図１及び図２において、符号１０は室内側引戸の框、すなわち内框、２０は室外側引戸の框、すなわち外框をそれぞれ示す。
【００１２】
箱状の内フレーム１は内側化粧板１１及びフロント板１２と共に内框１０にねじ９１、９２等で固定され、同様に箱状をなす外フレーム２は外側化粧板２１、ストライク板２２及び取付板２３と共に、外框２０にねじ９３等で固定される。
【００１３】
内フレーム１内に横軸３１で枢支される錠止部材であるカマ３は、後記の駆動板４の上下動により揺動して外框２０のストライク２２の係入孔２４に係脱して施錠位置又は解錠位置を占める。
【００１４】
内フレーム１内にそのフレーム１の内壁面など任意の案内手段で案内されるようにして上下動可能に設けられた駆動板４は、室内側から手指により操作部材４１で操作される。
【００１５】
操作部材４１は内側化粧板１１と止め板１３とで作られた空間内に納められ、つまみ４２で駆動板４と共に上下動される。操作部材４１と駆動板４との間はピン４３で結合されている。
【００１６】
例えば、横断面がＵ字状に形成された駆動板４内には、外框２０の外フレーム２に向けて係合片４４が一体に又は別体として突設してある。図示例の係合片４４は全体がＬ字状に作られ、ねじ等で駆動板４の底面に固定されている。
【００１７】
上記のカマ３には、厚さ方向にだるま形など非円形の係合孔３２が設けてあり、その係合孔３２に対し駆動板４に固設した駆動ピン４５が遊嵌させてある。
【００１８】
このような駆動ピン４５と係合孔３２とからなる連係手段の存在により、駆動板４が図１で下方へ移動すると、カマ３は矢印Ａのように振り出され、ストライク板２２の係入孔２４に係入されて施錠状態となる。また、駆動板４が逆に上方に戻ると、カマ３は矢印Ａとは逆の方向に振り戻され、図１の解錠位置に復帰する。
【００１９】
なお、図１で符号４６は、不正解錠を防止するため施錠時内フレーム１から水平方向に選択的に突出できるように、駆動板４に連係させて設けた防護フード、４７は駆動板４に設けた上記横軸３１の逃げ孔、３３はカマ３のクリックばね、３４は駆動板４によって作動されカマ３を施錠位置で選択的に固定する錠止片である。
【００２０】
以上に説明した内框１０側の内フレーム１における錠機構については、前出の公告公報等に示され公知であるから、その構造及び作動についての更に詳しい説明はここでは省略する。
【００２１】
一方、図１及び図２に示すように、外框２０に取り付けられる外フレーム２の上方部には、ディスクタンブラー錠その他のシリンダ錠５を鍵の差し込み方向Ｋがストライク板２２と直角をなすようにして装着してあり、その内筒５１は、テールピース５２を介して外フレーム２内で支承された第１ピニオン７１に結合させてある。
【００２２】
また、外フレーム２内には、そのフレーム２の内壁面など任意の案内手段で案内されるようにして上下動可能に主作動板６が設けられている。
【００２３】
その主作動板６は、図３に明示するように、例えば１枚の板材をＬ字状に折り曲げて作ってあり、一片の一端部（図で上端部）に第１ラック６１を、他片に第２ラック６２及び逃げ部６３を有している。
【００２４】
図１〜図３で符号６０は前記の主作動板６に沿うようにして設けた副作動板で、外フレーム２内において適当な案内手段で案内され上下動が可能にしてある。
【００２５】
図示例の副作動板６０は、外フレーム２の内壁面、該副作動板６０の側部に一体に設けた突部６５と外フレーム２に設けた長孔２５の組、及び該副作動板６０に突設されたばねかけを兼ねる案内ピン６６と外フレーム２に設けた長孔２６の組により上下方向に案内されている。
【００２６】
そして、副作動板６０は、その一端側（上端側）に主作動板６の第２ラック６２と対をなす第３ラック６２ａを有し、他端側には逃げ孔６３ａを有する。副作動板６０の側辺における他端（下端）に一体に設けた突片６７は、主作動板６に選択的に当接係合する当接片として作用する。
【００２７】
また、副作動板６０と外フレーム２との間には副作動板６０を原位置（平常時の位置）に戻る方向に付勢させる引張りばねその他の復帰ばね６９が設けてある。図示例の復帰ばね６９は副作動板６０上のばね掛け６６と外フレーム２上のばね掛け６８との間に掛け渡されている。
【００２８】
更に、主作動板６の第１ラック６１は上記の第２ピニオン７１に噛み合わせてあり、主作動板６の第２ラック６２及び副作動板６０の第３ラック６２ａは外フレーム２内に水平軸７３を介して支承された対をなす第２ピニオン７２及び第３ピニオン７２ａに対し、それぞれ選択的に噛み合わせるものである。対をなす第２ピニオン７２及び第３ピニオン７２ａは互に独立して回動できる。
【００２９】
図３において、符号６３は第２ラック６２が対応する第２ピニオン７２と非係合状態とされるべき時の逃げ部、６３ａは第３ラック６２ａが対応する第３ピニオン７２ａとして非係合状態とされるべきときの逃げ孔、６４は第２ピニオン７２及び第３ピニオン７２ａの水平軸７３が貫通する逃げ孔である。
【００３０】
図１、図２及び図４を参照して、第２ピニオン７２には施錠アーム７を一体に又は別体として形成する。
【００３１】
施錠アーム７は、第２ピニオン７２の回動に伴って揺動し、上記駆動板４の係合片４４に例えば上から当接してこれをを下方に押し上げ、解錠位置のカマ３を施錠位置に振り出すことができる。
【００３２】
また、同様に、第３ピニオン７２ａには解錠アーム７ａを一体に又は別体として形成する。
【００３３】
解錠アーム７ａは、第３ピニオン７２の回動に伴って揺動し、上記駆動板４の係合片４４に例えば下から当接してこれを上方に押し上げ、施錠位置のカマ３を解錠位置に振り戻すことができる。
【００３４】
前記の両アーム７、７ａは、第２ピニオン７２及び第３ピニオン７２ａがそれぞれ対応する主作動板６上の第２ラック６２及び副作動板６０上の第３ラック６２ａに噛み合わされていない時、両アーム７、７ａの先端がストライク板２２から突出しないようにするための戻しばね７５を備えている（図１参照）。
【００３５】
図示例の戻しばね７５は１つのコイル状のねじりばねであり、その両端が両アーム７、７ａの基端部に設けたばね掛け７４、７４ａ（図４参照）にそれぞれ係止してある。戻しばね７５は他の種類のばねとしてもよいし、両アーム７、７ａに対し各別に設けてもよいことは勿論である。
【００３６】
以上の構成のこの発明の引戸錠について、図１及び図２を参照してその作用を説明する。
【００３７】
室内側から操作部材４１のつまみ４２により施解錠操作する場合、外フレーム２内の錠機構とは独立して内フレーム１内の駆動板４が上下動され、カマ３が突出入して施解錠されるものであることは、従来のものと何ら変わりがないので、ここでは鍵を用いた施解錠操作についてのみ説明する。
【００３８】
図１の解錠状態において、シリンダ錠５に対し矢印Ｋで示す方向に鍵（図示しない）を差し込み例えば時計方向に回動させると、第１ピニオン７１と第１ラック６１において噛み合う主作動板６が上昇する。
【００３９】
この際、主作動板６は原位置（上限位置）にストッパを兼ねる突部６５、案内ピン６６及び復帰ばね６９等により保持されている副作動板６０をその位置に残したまま上昇することになる。
【００４０】
すると、主作動板６上の第２ラック６２と噛み合う第２ピニオン７２がその回動に伴って戻しばね７５に抗して施錠アーム７を矢印Ｂ方向に揺動させる。
【００４１】
そして、施錠アーム７が駆動板４の係合片４４を上から押圧して駆動板４を降下させるので、カマ３は矢印Ａのように振り出され、フロント板２２の係入孔２４に係入されて施錠状態となる。
【００４２】
施錠後、鍵を反時計回りに回して元の角度位置に戻し引き抜くことにより施錠操作が完了する。その際に、外框側の錠機構における各部材はいずれも当初の位置に復帰する。
【００４３】
施錠状態の引戸錠を解錠するには、シリンダ錠５に差し込んだ鍵を逆に反時計方向に回動させる。
【００４４】
この場合、前記施錠作動に準じ主作動板６が降下すると、主作動板６の他端（下端）が選択的に係合する副作動板６０の突片６７が下方に向け押圧されるので、該副作動板６０は復帰ばね６９に抗して降下する。
【００４５】
そして、副作動板６０の第３ラック６２ａと噛み合う第３ピニオン７２ａがその回動に伴って戻しばね７５に抗して解錠アーム７ａを矢印Ｃ方向に揺動させる。
【００４６】
そして、解錠アーム７ａが駆動板４の係合片４４を下から押圧して駆動板４を上昇させるので、カマ３は施錠位置から振り戻されて解錠位置に戻ることになる。
【００４７】
解錠後、鍵を時計方向に回して元の角度位置に戻し引き抜くことにより解錠操作が完了する。その際に、外框側の錠機構における各部材はいずれも当初の位置に復帰する（図１参照）。
【００４８】
【発明の効果】
以上に説明したこの発明の引戸錠によれば、外框側の外フレームに装着される錠機構には、従来の引戸錠に見られるホルダのようなストライク板と直角をなす水平方向に可動の枠体を備えていないので、その機構を全体として薄く作ることができ、厚さのごく薄い引戸にも十分適用できるという効果を奏する。
【００４９】
また、外框側の錠機構は全体として上下方向の長さを上下方向の長さを短く製作できるので、外框に対する取付用の切欠きを大きくしないで済むという利点もある。
【００５０】
更に、この発明の引戸錠は、２つの引戸間の上下方向のずれ並びに厚さ方向の静的又は動的な変動に対応できるばかりでなく、確実な施解錠作動が達成できるものでもある。
【図面の簡単な説明】
【図１】この発明の引戸錠の実施例を示す縦断側面図。
【図２】外側化粧板を外し一部を断面にして示したその背面図。
【図３】図１の引戸錠から取り外した主作動板及び副作動板を組付け状態で示したもので、（Ａ）は側面図、（Ｂ）は背面図、（Ｃ）は平面図である。
【図４】図１の引戸錠から取り外した第２ピニオンと一体の施錠アーム又は解錠アーム又は第３ピニオンと一体の解錠アームを示したもので、（Ａ）は側面図、（Ｂ）は背面図である。
【符号の説明】
１０  内框
２０  外框
１  内フレーム
２  外フレーム
２２  ストライク板
３  カマ
４  駆動板
４１  操作部材
４４  係合片
５  シリンダ
５１  内筒
６  主作動板
６０  副作動板
６１  第１ラック
６２  第２ラック
６２ａ  第３ラック
６９  復帰ばね
７  施錠アーム
７ａ  解錠アーム
７１  第１ピニオン
７２  第２ピニオン
７２ａ  第３ピニオン
７５  戻しばね
【図１】
0003882950.tif 000002
【図２】
0003882950.tif 000003
【図３】
0003882950.tif 000004
【図４】
0003882950.tif 000005